(57)【要約】【課題】  ユーザの使い勝手を向上させる。【解決手段】  文書を作成する際、プリンタドライバーを立ち上げ、プリンタの印刷設定画面６０を表示し、入力部６２に、原稿サイズを任意に入力する。文書作成後、印刷する場合、プリンタドライバーを再度立ち上げ、入力部１００に、出力用紙サイズを入力する。該原稿のサイズに従って作成された画像データに基づく画像を分割する態様を、詳細設定ボタン１０２をオンして表示された画面を用いて入力する。そして、指定された態様に従って分割された各画像を、指定されたサイズの用紙に印刷するための印刷データを作成し、プリンタに出力する。【選択図】        図８
2006231692.tif 000002
【特許請求の範囲】
【請求項１】
原稿のサイズを任意に指定する第１の指定手段と、
画像を印刷する用紙のサイズ、及び、前記指定された原稿のサイズに従って作成された画像データに基づく画像を分割する態様を指定する第２の指定手段と、
前記画像データ、前記指定された用紙のサイズ及び前記画像を分割する態様に基づいて、前記指定された態様に従って分割された各画像を前記指定されたサイズの用紙に印刷するための印刷データを作成する作成手段と、
を備えた印刷データ作成装置。
【請求項２】
原稿サイズ、用紙のサイズ、及画像を分割する態様を表示する表示手段を更に備え、
前記第１の指定手段及び前記第２に指定手段は、前記表示手段を用いて指定する
ことを特徴とする印刷データ作成装置。
【請求項３】
第１の指定手段により、原稿のサイズを任意に指定するステップと、
第２の指定手段により、画像を印刷する用紙のサイズ、及び、前記指定された原稿のサイズに従って作成された画像データに基づく画像を分割する態様を指定するステップと、
作成手段により、前記画像データ、前記指定された用紙のサイズ及び前記画像を分割する態様に基づいて、前記指定された態様に従って分割された各画像を前記指定されたサイズの用紙に印刷するための印刷データを作成するステップと、
を備えた印刷データ作成方法。
【請求項４】
コンピュータに、以下の印刷データ作成処理を実行させる印刷データ作成プログラムであって、
前記印刷データ作成処理は、
第１の指定手段により、原稿のサイズを任意に指定するステップと、
第２の指定手段により、画像を印刷する用紙のサイズ、及び、前記指定された原稿のサイズに従って作成された画像データに基づく画像を分割する態様を指定するステップと、
作成手段により、前記画像データ、前記指定された用紙のサイズ及び前記画像を分割する態様に基づいて、前記指定された態様に従って分割された各画像を前記指定されたサイズの用紙に印刷するための印刷データを作成するステップと、
を備えた印刷データ作成プログラム。
【請求項５】
第１の指定手段により、指定原稿のサイズを任意に指定するステップと、
画像データ作成手段により、前記指定された原稿のサイズに従って画像データを作成するステップと、
第２の指定手段により、画像を印刷する用紙のサイズ、及び、前記指定された原稿のサイズに従って作成された画像データに基づく画像を分割する態様を指定するステップと、
印刷手段により、前記画像データ、前記指定された用紙のサイズ及び前記画像を分割する態様に基づいて、前記指定された態様に従って分割された各画像を前記指定されたサイズの用紙に印刷するステップと、
を備えた印刷方法。
【発明の詳細な説明】
【技術分野】
【０００１】
本発明は、印刷データ作成装置及び方法、印刷データ作成プログラム、及び印刷方法にかかり、より詳細には、画像を印刷する用紙のサイズを指定することの可能な印刷データ作成装置及び方法、印刷データ作成プログラム、及び印刷方法
に関する。
【背景技術】
【０００２】
従来、文書作成プログラムに従って文書を作成する際の原稿サイズは、当該文書作成プログラムにおいて、所定の規格内のサイズが個別に指定又は予め初期指定されており、ユーザは、指定された原稿サイズに従って文書を作成する。作成された文書を印刷する場合、ユーザはプリンタドライバを立ち上げる。この場合、プリンタドライバは、原稿サイズと一致するように用紙サイズを指定する。従って、ユーザは、特にこれを確認することなく、印刷処理の開始を命令する（非特許文献１参照）。
【０００３】
ところで、文書作成プログラムにおける原稿サイズは、プリンタドライバにおいて想定される用紙サイズ（プリンタにおいて装填されている用紙サイズ（Ｂ５のみ等））とリンクしていない場合もある。従って、原稿サイズ（例えばＡ４）が、プリンタにおいて想定されるサイズ（Ｂ５）以外のサイズの場合には、エラー表示される。このような場合には、ユーザは、原稿サイズ（Ａ４サイズ）とは異なる用紙サイズ（Ｂ５）を指定し、原稿における画像が縮小（Ａ４→Ｂ５）して出力されることになる。従って、このような場合、指定された原稿のサイズ（Ａ４）の画像は得られない。
【０００４】
上記原稿サイズは所定の規格内のサイズであるが、原稿サイズは、ユーザが規格外のサイズを任意に指定することもできる。この場合でも、ユーザが指定できる原稿サイズは、プリンタドライバにおいて対処可能な用紙サイズを超えることはできない。
【０００５】
以上のように従来の技術では、ユーザが原稿サイズを任意に指定し、これがプリンタドライバにおいて対処可能な用紙サイズを超えているような場合には対処することができず、ユーザの使い勝手が悪い。
【非特許文献１】「DocuCentre Color a450P/a250P」ユーザマニュアル（富士ゼロックス株式会社製）
【発明の開示】
【発明が解決しようとする課題】
【０００６】
本発明は、上記事実に鑑み成されたもので、ユーザの使い勝手を向上させることの可能な印刷データ作成装置及び方法、印刷データ作成プログラム、及び印刷方法を提供することを目的とする。
【課題を解決するための手段】
【０００７】
上記目的を達成するために請求項１に記載の発明の印刷データ作成装置は、原稿のサイズを任意に指定する第１の指定手段と、画像を印刷する用紙のサイズ、及び、前記指定された原稿のサイズに従って作成された画像データに基づく画像を分割する態様を指定する第２の指定手段と、前記画像データ、前記指定された用紙のサイズ及び前記画像を分割する態様に基づいて、前記指定された態様に従って分割された各画像を前記指定されたサイズの用紙に印刷するための印刷データを作成する作成手段と、を備えている。
【０００８】
即ち、第１の指定手段は、原稿のサイズを任意に指定する。即ち、第１の指定手段は、予め定められた規格のサイズを指定することもの可能ではあるが、原稿サイズとして、予め定められた規格のサイズではない原稿サイズを任意に指定する。
【０００９】
第２の指定手段は、画像を印刷する用紙のサイズ、及び、前記指定された原稿のサイズに従って作成された画像データに基づく画像を分割する態様を指定する。
【００１０】
より詳細に説明すると、第１の指定手段により任意に指定された原稿サイズが、第２の指定手段により指定された用紙のサイズより大きい場合には、前記指定された原稿のサイズに従って作成された画像データに基づく画像の全てを、上記指定された用紙内に印刷することはできない。
【００１１】
このような場合、従来では、ユーザーは予め定められた規格のサイズなどにて画像データを作成し、倍率を指定して拡大したうえで、第2の指定手段により、前記指定された原稿のサイズに従って作成された画像データに基づく画像を分割する態様を指定し、出力していた。
【００１２】
しかし、これでは、ユーザーの所望するサイズにて原稿サイズを指定、出力する画像データを作成することはできない。
【００１３】
そこで、第1の指定手段により、ユーザーの所望するサイズと同じサイズを原稿サイズとして指定することを可能とする。そして、作成手段は、前記画像データ、前記指定された用紙のサイズ及び前記画像を分割する態様に基づいて、前記指定された態様に従って分割された各画像を前記指定されたサイズの用紙に印刷するための印刷データを作成する。
【００１４】
このように原稿サイズを予め定められた規格のサイズではない原稿サイズを任意に指定し、指定された原稿サイズより小さい用紙を指定しても、指定された態様に従って分割された各画像を、指定されたサイズの用紙に印刷するための印刷データを作成するので、この印刷データに基いて、該分割された各画像を、指定された用紙に印刷することができる。よって、ユーザの自由度を向上させることができる。
【００１５】
ところで、原稿サイズ、用紙のサイズ、及画像を分割する態様をユーザが個別に入力して指定するようにしてもよいが、これでは煩わしい。
【００１６】
そこで、請求項２のように、原稿サイズ、用紙のサイズ、及画像を分割する態様を表示する表示手段を更に備え、前記第１の指定手段及び前記第２に指定手段は、前記表示手段を用いて指定するようにしてもよい。これにより、ユーザの使い勝手を向上させることができる。
【００１７】
なお、請求項３記載の発明の印刷データ作成方法や、請求項４記載の発明の印刷データ作成プログラムも、上記発明と同様の作用、効果を奏するので、その説明を省略する。
【００１８】
以下の発明も提案される。即ち、原稿のサイズとして、予め定められた規格のサイズではない任意のサイズを指定する第１の指定手段と、画像を印刷する用紙のサイズとして、前記指定されたサイズより小さいサイズを指定すると共に、前記指定された原稿のサイズに従って作成された画像データに基づく画像を分割する態様を指定する第２の指定手段と、前記画像データ、前記指定された用紙のサイズ及び前記画像を分割する態様に基づいて、前記指定された態様に従って分割された各画像を前記指定されたサイズの用紙に印刷するための印刷データを作成する作成手段と、を備えた印刷データ作成装置である。
【００１９】
請求項５記載の発明の印刷方法は、第１の指定手段により、指定原稿のサイズを任意に指定するステップと、画像データ作成手段により、前記指定された原稿のサイズに従って画像データを作成するステップと、第２の指定手段により、画像を印刷する用紙のサイズ、及び、前記指定された原稿のサイズに従って作成された画像データに基づく画像を分割する態様を指定するステップと、印刷手段により、前記画像データ、前記指定された用紙のサイズ及び前記画像を分割する態様に基づいて、前記指定された態様に従って分割された各画像を前記指定されたサイズの用紙に印刷するステップと、を備えている。
【００２０】
即ち、ユーザは、第１の指定手段を介して、原稿のサイズを任意に指定する。
【００２１】
文書作成装置（パーソナルコンピュータ等）等の画像データ作成手段は、前記指定された原稿のサイズに従って画像データを作成する。
【００２２】
ユーザはまた、第２の指定手段を介して、画像を印刷する用紙のサイズ、及び、前記指定された原稿のサイズに従って作成された画像データに基づく画像を分割する態様を指定する。
【００２３】
画像印刷装置（プリンタ機能を有する装置）等の印刷手段は、前記画像データ、前記指定された用紙のサイズ及び前記画像を分割する態様に基づいて、前記指定された態様に従って分割された各画像を前記指定されたサイズの用紙に印刷する。
【００２４】
このように原稿サイズを任意に指定し、指定された原稿サイズより小さい用紙を指定しても、指定された態様に従って分割された各画像を、指定された用紙に印刷することができるので、ユーザの自由度を向上させることができる。
【発明の効果】
【００２５】
以上説明したように本発明は、原稿サイズを予め定められた規格のサイズではない原稿サイズを任意に指定し、指定された原稿サイズより小さい用紙を指定しても、指定された態様に従って分割された各画像を、指定された用紙に印刷することができるので、ユーザの自由度を向上させることができる。
【発明を実施するための最良の形態】
【００２６】
以下、図面を参照して、本発明の実施の形態を詳細に説明する。
【００２７】
図１に示すように、印刷手段としてのプリンタ１２は、文書作成装置（パーソナルコンピュータ）、画像データ作成手段、及び印刷データ作成装置としての複数のクライアント１２、１４、…が接続されている。
【００２８】
複数のクライアント１２、１４、…は各々同一の構成であるので、以下、クライアント１２を例にとり、その構成及び作用を説明する。
【００２９】
図２に示すように、クライアント１２は、ＣＰＵ２２、印刷データ作成プログラムや文書作成プログラム等が記憶されたＲＯＭ２４、ＲＡＭ２６、表示手段としての表示装置２８、マウスやキーボード等の入力装置３０、ネットワークを介してプリンタ１０と接続するインターフェース（Ｉ／Ｆ）３２を、バス３４を介して相互に接続して構成去れている。
【００３０】
次に、本実施の形態の作用を説明する。
【００３１】
図３に示すように、ユーザがクライアント１２において、文書作成プログラムを立ち上げて、文書を作成する際に、図しなし印刷指示ボタンをＯＮすると、図３に示す印刷データ作成プログラムがスタートし、ステップ４０で、図４に示すように、プリンタ１０の印刷設定画面６０を表示する。
【００３２】
図４に示すように、印刷設定画面６０には、原稿のサイズを任意に指定するための入力部６２が設けられている。入力部６２がマウスによりクリックされると
、ステップ４２が肯定判定され、ステップ４４で、図５に示すように、メニュー（ドロップダウンリスト）６５を表示する。このメニューには、予め定められた複数の規格のサイズと、ユーザにより定義されたサイズのメニューや、新たに、ユーザがサイズを任意に指定するための非定形サイズメニュー６６を備えている。
【００３３】
非定形サイズのメニュー６６が選択されると、ステップ４６が肯定判定され、ステップ４８で、図６に示すように、ユーザ定義用画面６８を挟持する。図６に示すように、ユーザ定義用画面６８には、原稿のサイズ、即ち、短辺を指定するための入力部７０と、長編を入力するための入力部７２とが設けられている。なお、入力部７０、７２により、第１の指定手段が構成される。
【００３４】
ユーザは、原稿のサイズを任意に指定するため、入力部７０に、短辺の長さを指定し、入力部７２に、原稿のサイズの長編を指定する。これにより、原稿サイズがユーザにより任意に指定される。例えば、ユーザが、例えば、８０×１２０の原稿サイズを指定することができる。なお、今回定義した原稿サイズに名前（識別情報）をつける場合には、入力部７５に、ユーザは所定の名前を入力する。例えば、ポスター等を入力する。
【００３５】
ステップ４２で、原稿サイズが変更されていないと判断された場合には、ステップ５４で、その他の処理（詳細には後述する）を実行する。
【００３６】
また、ステップ４６で、非定形サイズが選択されなかった、即ち、定形サイズが選択された場合には、ステップ５２で、定形サイズの原稿サイズを設定するその他の処理を実行する。
【００３７】
このように、原稿サイズが指定された後、印刷データ作成プログラムは一旦終了し、ユーザは、文書作成プログラムに従って文書（画像データ）を作成する。
【００３８】
そして、作成された文書を印刷するため、印刷指示ボタンがＯＮされると、再度、印刷データ作成プログラムがスタートし、上記のようにステップ４０で、プリンタの印刷設定画面６０が表示される。この場合には、図８に示すように、入力部６２には、上記のように定義されたユーザ定義７（又はポスター）（８０×１２０）ｍｍの原稿が指定されている。
【００３９】
上記ステップ４２が否定判定されると、ステップ５４のその他の処理を実行する。この処理（ステップ５４）を、図７を参照して詳細に説明する。
【００４０】
ステップ８２で、出力用紙サイズが変更されたか否かを判断する。即ち、プリンタの設定画面６０には、図８にも示すように、出力用紙サイズを指定する入力部１００が設けられている。ユーザが、マウスを用いて、入力部１００がクリックされると、ステップ８２が肯定判定され、ステップ８８で、変更された出力用紙サイズを、例えば、Ａ４を設定する。
【００４１】
一方、ステップ８２で、出力用紙サイズが変更されていないと判断された場合には、ステップ８４で、詳細設定ボタンがＯＮされたか否かを判断する。即ち、図８にも示すように、プリンタの印刷設定画面６０には、詳細設定ボタン１０２が設けられており、この詳細設定ボタン１０２がユーザがマウスによりクリックすると、ステップ８４が肯定判定され、ステップ９０で、図９に示すように、詳細設定画面１０４を表示する。
【００４２】
詳細設定画面１０４は、図９に示すように、出力枚数を入力するための入力部１０６が設けられている。なお、入力部１０６は、第２の指定手段を構成している。この出力枚数は、上記ユーザが任意に指定したサイズの画像を分割する態様を指定するものである。図９には、上記原稿（８０×１２０）を３×３の態様で分割することを例が示されている。
【００４３】
このように、入力部１０６で、画像を分割する態様が指定されると、ステップ９２が肯定判定され、ステップ９４で、設定された出力枚数（分割の態様）を設定する。なお、ステップ９２が否定判定されると、ステップ９６でその他の処理（原稿の回転等）を実行する。
【００４４】
ステップ８４が否定判定されると、ステップ８６で、ＯＫボタンがＯＮされたか否かを判断する。図８に示すように、ＯＫボタン１１０がＯＮされると、ステップ９８で、上記作成された文書（画像データ）、上記指定された用紙のサイズ、及び上記指定された画像を分割する態様（出力枚数）に基づいて、指定された対応に従って分割された各画像を、指定されたサイズの用紙に印刷するための印刷データを作成する。
【００４５】
そして、作成された印刷データをプリンタ１０に送信する。プリンタ１０は、受信した印刷データに基づいて、指定された対応に従って分割された各画像を、指定されたサイズの用紙に印刷する。
【００４６】
以上説明したように、原稿サイズを予め定められた規格のサイズではない原稿サイズを任意に指定し、指定された原稿サイズより小さい用紙を指定しても、指定された態様に従って分割された各画像を、指定された用紙に印刷することができるので、ユーザの自由度を向上させることができる。
【００４７】
即ち、まず、原稿領域を任意に設定することができる。即ち、上記入力部を用いて、サイズ設定とすることにより、たて方向・よこ方向独立に範囲を設定、出力することが可能となる。
【００４８】
また、拡大連写にて、プリンタにて出力可能サイズを超えるイメージを出力する場合にも、あらかじめ指定サイズの原稿を仮想非定型サイズとして登録、作成することができる。
出力時も、必要な拡大連写設定に、倍率100% にて出力するだけで、所望する出力を容易に得ることができる。
【図面の簡単な説明】
【００４９】
【図１】プリンタと複数のクライアントを備えた印刷システムを示すブロック図である。
【図２】クライアントのブロック図である。
【図３】印刷データ作成プログラムを示すフローチャートである。
【図４】プリンタの印刷設定画面を示す図である。
【図５】原稿サイズを任意に指定するためのメニューを表示した図である。
【図６】原稿のサイズを任意に指定するためのユーザ定義用画面を示す図である。
【図７】図３のステップ５３の詳細を示すフローチャートである。
【図８】プリンタの印刷設定画面を示す別の図である。
【図９】詳細設定画面を示す図である。
【符号の説明】
【００５０】
１０            プリンタ（印刷手段）
１２、１４      クライアント（文書作成装置、パソコン、画像データ作成手段、印刷データ作成装置）
２８            表示装置（表示手段）
７０、７２      入力部（第１の指定手段）
１００、１０６  入力部（第２の指定手段）
【図１】
2006231692.tif 000003
【図２】
2006231692.tif 000004
【図３】
2006231692.tif 000005
【図４】
2006231692.tif 000006
【図５】
2006231692.tif 000007
【図６】
2006231692.tif 000008
【図７】
2006231692.tif 000009
【図８】
2006231692.tif 000010
【図９】
2006231692.tif 000011